(57)【要約】【課題】折畳み部品位置の下垂や、密集し積重ねる保存空間が操作に影響を与えることを解決したコード整理フレームを提供する。【解決手段】線フレーム主体１、サポートレール２、滑動部品３、組合せ接続部品５、挿入接続台７を含む。線フレーム主体１は前、後アームフレーム１１，１２によりサポートレール２上で滑動し、両端は挿入接続台７と組合せ接続部品５に連接する。サポートレール両端は組合せ接続部品内の滑動部品３に連結する。それぞれ嵌合部品８を設置し、スライドレールの外レールＡ、内レールＣ後端に固定、連結する。線フレーム主体１が連接する組合せ接続部品５上には制限部品９を設置する。制限部品９は滑動部品３において組合せ接続部品５中に単独で設置される時、係合され位置を制限され、組合せ接続部品５が外レールＡ後端に挿入、接続されると、制限部品９は上方へと揺動される。【選択図】図１
0003121054.tif 000002
【実用新案登録請求の範囲】
【請求項１】
線フレーム主体、サポートレール、２個の滑動部品、２個の組合せ接続部品、挿入接続台を含み、スライドレールを組合せ実施し、
該スライドレールは外レール、中レール、内レールの三段式伸縮レールを具え、
該線フレーム主体は前、後アームフレームにより可動接続し、該サポートレール上で滑動し、該線フレーム主体両端はそれぞれ挿入接続台と組合せ接続部品に連接され、
該サポートレール両端は２個の滑動部品に連結され、２個の滑動部品はそれぞれ該組合せ接続部品と別の組合せ接続部品内に設置され、該２個の組合せ接続部品と挿入接続台上にはそれぞれ嵌合部品が設置され、ダブル装備のスライドレールの２本の外レールと１本の内レール後端にそれぞれ固定され、該線フレーム主体が連接する該組合せ接続部品上には制限部品が設置され、該制限部品は滑動部品において単独で該組合せ接続部品中に設置され係合し、位置を制限され、該組合せ接続部品が該スライドレール後端に挿入接続されるとき、該制限部品可は上方へと押され移動可能であり、滑動部品の定位が解除され、滑動部品と連動するサポートレールを移動可能であることを特徴とするコード整理フレーム。
【請求項２】
前記線フレーム主体の前、後アームフレーム間には可動接続部品が設置され、該可動接続部品により該サポートレール上に連結し滑動可能とすることを特徴とする請求項１記載のコード整理フレーム。
【請求項３】
前記後アームフレームの反対端には回転接続部品が連結され、該組合せ接続部品に連接することを特徴とする請求項１記載のコード整理フレーム。
【請求項４】
前記前アームフレームと後アームフレームとには線台を設置することを特徴とする請求項１記載のコード整理フレーム。
【請求項５】
前記制限部品の定位を受ける滑動部品は、内部に相対的に係合する凹槽を設置することを特徴とする請求項１記載のコード整理フレーム。
【請求項６】
前記滑動部品は該中レールに従い同時移動を行い、長方形のフック片を延伸し、フックは該中レール後端に結合することを特徴とする請求項５記載のコード整理フレーム。
【請求項７】
前記線フレーム主体と相互に連接しない組合せ接続部品上には定位部品を設置し、該定位部品は弾力的な動きを行い、これにより該組合せ接続部品が設置する滑動部品に対して一方向のガード作用を形成し、或いは制限を解除し離脱させることを特徴とする請求項１記載のコード整理フレーム。
【請求項８】
前記組合せ接続部品とスライドレール外レールの両者は接続端縁に対して凸ほぞと凹口を設置することを特徴とする請求項１記載のコード整理フレーム。
【請求項９】
前記制限部品は弾性揺動状態により該組合せ接続部品内側面に可動接続し、サポート棒を具え、組合せ接続部品外側面に延伸、貫通することを特徴とする請求項１記載のコード整理フレーム。
【請求項１０】
前記制限部品の弾性揺動作用は弾力棒を延伸し、該組合せ接続部品上の凸片において固定することを特徴とする請求項９記載のコード整理フレーム。
【請求項１１】
線フレーム主体、サポートレール、２個の滑動部品、２個の組合せ接続部品、挿入接続台を含み、
該線フレーム主体は前、後アームフレームにより可動接続され、該サポートレール上で滑動し、該線フレーム主体両端はそれぞれ挿入接続台と組合せ接続部品に連接され、
該サポートレール両端は２個の滑動部品に連結し、２個の滑動部品はそれぞれ該組合せ接続部品と別の組合せ接続部品内に設置され、該２個の組合せ接続部品と挿入接続台上にはそれぞれ嵌合部品が設置され、それぞれスライドレールにおいて固定され、該線フレーム主体が連接する該組合せ接続部品上には制限部品が設置され、該制限部品は組合せ接続部品が設置される滑動部品に対して固定或いは解除可能であることを特徴とするコード整理フレーム
【請求項１２】
線フレーム主体、サポートレール、２個の滑動部品、２個の組合せ接続部品、挿入接続台を含み、スライドレールが組合せられ、
該線フレーム主体は前、後アームフレームにより可動接続され、該サポートレール上で滑動し、該線フレーム主体両端はそれぞれ挿入接続台と組合せ接続部品に連接され、
該サポートレール両端は２個の滑動部品に連結され、２個の滑動部品はそれぞれ該組合せ接続部品と別の組合せ接続部品内に設置され、該２個の組合せ接続部品と挿入接続台上にはそれぞれ嵌合部品が設置され、それぞれスライドレールにおいて固定され、該組合せ接続部品はスライドレール後端に連結され、該滑動部品はスライドレール中に導入され、滑動部品に連動するサポートレールはスライドレールが引かれるとそれに従い、線フレーム主体は展開し移動可能であることを特徴とするコード整理フレーム。
【考案の詳細な説明】
【技術分野】
【０００１】
本考案はコード整理フレームに関し、特にサポートレールを具え、接続レール方式によりスライドレール後端に設置し、しかもサポートレールはスライドレールが引かれるとそれに従い、線フレーム主体は展開し自動的に移動するコード整理フレームに関する。
【背景技術】
【０００２】
引き出し式スライドレール保存空間上に積重ねられる電子製品(サーバーなど)はみな両側にスライドレールを設置する。しかも電子製品は該スライドレールに対応しスライド移動し、この時、コード整理フレームによりそのケーブルを収納し、位置を固定する。
これらコード整理フレームは米国特許第３７１０１９９号、第４３５３５１８号、第４６１４３８３号、第５４６０４４１号、第５５７１２５６号、第５８９３５３９号、第５９２１４０２号、第６０７０７４２号、第６２１５０６９Ｂ１号、第６３０３８６４Ｂ１号、第６３０５５５６Ｂ１号、第６３２６５４７Ｂ１号、第６３２７１３９Ｂ１号、第６４０７９３３Ｂ１号、第６４３５３５４Ｂ１号、第６４４２０３０Ｂ１号、第６５０１０２０Ｂ２号、第６５２３９１８Ｂ１号、第６６００６６５Ｂ２号、第６６４６８９３Ｂ１号、第６７１５７１８Ｂ１号、第６８０５２４８Ｂ２号、第６８１１０３９Ｂ２号、第６８５４６０５Ｂ２号、第６８５６５０５Ｂ１号、第６８６７９８０Ｂ２号、第６８９６３４４Ｂ２号、第６９０２０６９Ｂ２号、第６９４５５０４Ｂ２号、及び米国特許第ＵＳ２００３／００２６０８４Ａ１号などに示すように、通常はスライドレールを組合せ実施する。しかも、該コード整理フレームは一端及び反対端はサポート点で、コード整理フレームの二端間には折畳み部品(通常はひんじ)を具え、折畳み可能である。さらに折畳み時には、コード整理フレームの折畳み部品位置はオーバーハング状態で任一のサポート点から離れている。
【考案の開示】
【考案が解決しようとする課題】
【０００３】
前記公知のケーブル及びコード整理フレームそのものは重量を具えるため、長く使用すると、コード整理フレームの折畳み部品位置は下垂し、密集し積重ねる保存空間は操作に影響を与える。
一方、ドイツ特許ＤＥ２０２００４０１９４５１Ｕはスライドレールを対応させ実施し、コード整理フレームの一部の重量の分散を達成し、コード整理フレーム折畳み部品位置の下垂を防止し、コード整理フレームの使用寿命と操作の利便性を実現する設計である。
【０００４】
したがって本考案の目的は上記構造の問題点を解決したコード整理フレームを提供するものである。
【課題を解決するための手段】
【０００５】
上述の目的を達成するために本考案の請求項に記載のコード整理フレームは、スライドレールを組合せ実施し、該スライドレール後端は接続レール方式によりスライドレール中にスライド進入可能なコード整理フレームサポート機構を設置し、設置が容易、迅速で、しかも後続の操作が便利でスムーズな構造を実現する。
【０００６】
本考案コード整理フレーム構造は線フレーム主体、サポートレール、２個の滑動部品、２個の組合せ接続部品、挿入接続台を含む。
該線フレーム主体は少なくとも前、後アームフレームにより可動接続し、該サポートレール上で滑動し、両端はそれぞれ挿入接続台と組合せ接続部品に連接する。
【０００７】
該サポートレール両端は２個の滑動部品に連結し、２個の滑動部品はそれぞれ２個の組合せ接続部品内に設置され、しかも該２個の組合せ接続部品と挿入接続台上にはそれぞれ嵌合部品を設置することで、該スライドレールの外レール、内レール後端に固定、連結する。線フレーム主体が連接する組合せ接続部品上には制限部品を設置する。該制限部品は滑動部品において該組合せ接続部品中に単独で設置される時、係合され位置を制限され、該組合せ接続部品が該外レール後端に挿入、接続されると、該制限部品は上方へと揺動される。これにより滑動部品の定位を解除し、サポートレールスライドレールが引かれるとそれに従い、線フレーム主体は前、後アームフレームの展開と移動を行うことを特徴とするコード整理フレームである。
【考案の効果】
【０００８】
上記のように、本考案は独自の組合せ設計をコード整理フレームのスライドレールが引かれることに従い作動する方式に運用する。図１４、図１５に示すように、線フレーム主体の前、後アームフレームとサポートレールは内レールＣの伸長に従い、中レールＢの隨行運動と２個の滑動部品の滑動により、スムーズに展開、移動を行うことが可能である。
【考案を実施するための最良の形態】
【０００９】
以下、本考案の実施例を図面に基づいて説明する。
本考案の実施例によるコード整理フレーム構造はスライドレールを組合せ実施する。該コード整理フレームはスライドレールの外レール後端と内レール後端に組合せ、該スライドレールは具体的には一種の外レールＡ、中レールＢ、内レールＣを含む三段式レール体方式(図１４、図１５参照)として実施される。
【００１０】
図１、図２に示すように、該コード整理フレームは線フレーム主体１、サポートレール２、２個の滑動部品３、４、２個の組合せ接続部品５、６及び挿入接続台７を含む。
該線フレーム主体１は前、後アームフレーム１１、１２を具え、該前、後アームフレーム１１、１２間には可動接続部品１３を設置し、これにより該可動接続部品１３は該サポートレール２上に接続され滑動可能となる。該前アームフレーム１１の反対端はさらに該挿入接続台７に可動接続し、該後アームフレーム１２反対端は該回転接続部品１４を経由し該組合せ接続部品５に接続する。該前、後アームフレーム１１、１２上には数個の線台１５を設置し、しかも２個の組合せ接続部品５、６と挿入接続台７上にはそれぞれ嵌合部品８を設置する。こうしてその外レールＡ、内レールＣ後端への連結を固定可能で、及び該２個の滑動部品３、４はそれぞれ伸縮可能なレール式のサポートレール２両端に連接する。
【００１１】
該滑動部品３は該中レールＢに従い同時に移動し、長方形のフック片３１を延伸し、該中レールＢ後端に掛け結合する。該滑動部品３は該組合せ接続部品５中に予め設置し、しかもその内部には定位に用いる凹槽３２を設置する(図５参照)。別に該滑動部品４は該線フレーム主体１が引かれるに従い、該サポートレール２の連動を受け自由に移動し、それは別の組合せ接続部品６中に予め設置する。該組合せ接続部品６上には定位部品６０を設置し、該滑動部品４が後端より離脱しないよう防止し、一方向のガード機能を具える。別の面では、該定位部品６０は弾力的な動きを行い、該滑動部品４の制限を解除し、出させる。さらに該外レールＡ、内レールＣの後端には挿入接続される対応構造を設置する(後述する)。
【００１２】
次に図６、図７、図１２、図１３に示すように、該組合せ接続部品５、６の断面形状は、対応し相互に接続する便のため大よそ該スライドレール外レールＡの断面に一致しする。しかも該組合せ接続部品５、６は凸伸する挿入接部５１、６１を具え、該挿入接部５１、６１は屈曲部分と前が狭く後が広い形態を具え、該外レールＡの後端対応構造に挿入可能である。該組合せ接続部品５、６上に設置する嵌合部品８は、凸フック８１を具え該挿入接部５１、６１上の孔槽５１１、６１１に突出する。しかも該組合せ接続部品５、６と該スライドレール外レールＡの両者は接続端縁に対して凸ほぞ５２、６２と凹口Ａ１を設置する。その凸ほぞ５２、６２と凹口Ａ１の設置は互換性があり、また該後アームフレーム１２の該組合せ接続部品５上に接続し、制限部品９を設置する。
【００１３】
図３、図４に示すように、該制限部品９は弾性揺動状態で該組合せ接続部品５内側面に可動接続され、サポート棒９１を具え、該組合せ接続部品５外側面に突出する。、該弾性揺動の作用により弾力棒９２を延伸し、該組合せ接続部品５上の凸片５３において定位し、復位のための弾力を提供する。
【００１４】
この他、該凸フック８１を具えた嵌合部品８は弾力アーム８２を具え、２個の組合せ接続部品５、６と挿入接続台７上に固定する(図３、図４に示す組合せ接続部品５とその他構成部品の対応は同一であるため、詳述しない)。該嵌合部品８本体は斜めに反った状態に設置し一端を押すことにより反対端の凸フック８１部位を浮き上がらせることが可能である。
【００１５】
上記のように、該外レールＡ、該内レールＣ後端の挿入接続対応構造は、図６、図１２に示すように、該外レールＡ後端は内側面において係合板Ａ２と係合孔Ａ３を設置し、これにより該組合せ接続部品５、６の挿入接部５１、６１位置を制限する。及び該嵌合部品８の凸フック８１を利用し、該係合孔Ａ３において掛け定位する。この方式での組合せ時には、さらに該凸ほぞ５２、６２と凹口Ａ１のほぞ接続設計に対応し、図７、１３に示すように、堅固な組合せ定位效果を得ることが可能である。
【００１６】
また、該内レールＣと該挿入接続台７の挿入接続対応構造に関して、図２、図６、図８に示すように、該内レールＣは後端に開孔Ｃ１とわずかに盛り上がった凸面Ｃ２を設置し、該挿入接続台７上には湾曲した挿入片７１と断面槽７２を設置する。これにより、該挿入接続台７はその挿入片７１により、該内レールＣの開孔Ｃ１から該凸面Ｃ２に入り定位され、その上の嵌合部品８の凸フック８１により断面槽７２を貫通し、該開孔Ｃ１と相互に隣り合った凸面Ｃ２の縁に掛かり、固定作用を達成する。
【００１７】
さらに、予め設置する滑動部品３の組合せ接続部品５を該外レールＡ後端に接続する操作を行う時には、図９、図１０、図１１に示すように、先ず該滑動部品３を該組合せ接続部品５中に単独で設置すると、該制限部品９の端角９３は該滑動部品３の凹槽３２において適当に伸び係合され滑出することはない。次に、該組合せ接続部品５を該外レールＡ後端に挿入接続後、該制限部品９のサポート棒９１は該外レールＡ端縁を押さえ、上方へと押され揺動する。これにより該制限部品９の端角９３は移動し、該滑動部品３の凹槽３２を離れ、該滑動部品３への固定を解除する。このように、該滑動部品３は可動状態となり、該中レールＢに従い同時移動を行う。
【図面の簡単な説明】
【００１８】
【図１】本考案の実施例によるコード整理フレームを示す分解図の一である。
【図２】本考案の実施例によるコード整理フレームを示す分解図の二である。
【図３】本考案の実施例によるコード整理フレームを示す局部分解指示図の一である。
【図４】本考案の実施例によるコード整理フレームを示す局部分解指示図の二である。
【図５】本考案の実施例によるコード整理フレームを示す局部構成部品指示図である。
【図６】本考案の実施例によるコード整理フレームを示す局部組合せ構成部品指示図の一である。
【図７】本考案の実施例によるコード整理フレームを示す局部組合せ構成部品指示図の二である。
【図８】本考案の実施例によるコード整理フレームを示す局部組合せ状態指示図の一である。
【図９】本考案の実施例によるコード整理フレームを示す局部組合せ構成部品指示図の三である。
【図１０】本考案の実施例によるコード整理フレームを示す局部組合せ状態指示図の二である。
【図１１】本考案の実施例によるコード整理フレームを示す局部組合せ状態指示図の三である。
【図１２】本考案の実施例によるコード整理フレームを示す局部組合せ状態指示図の四である。
【図１３】本考案の実施例によるコード整理フレームを示す局部組合せ状態指示図の五である。
【図１４】本考案の実施例によるコード整理フレームを示す組合せ展開状態指示図の一である。
【図１５】本考案の実施例によるコード整理フレームを示す組合せ展開状態指示図の二である。
【符号の説明】
【００１９】
１  線フレーム主体、２  サポートレール、３  滑動部品、４  滑動部品、５  組合せ接続部品、６  組合せ接続部品、７  挿入接続台、８  嵌合部品、９  制限部品、１１  前アームフレーム、１２  後アームフレーム、１３  可動接続部品、１４  回転接続部品、１５  線台、３１  フック片３２  凹槽、５１  挿入接部、５２  凸ほぞ、５３  凸片、６０  定位部品、６１  挿入接部、６２  凸ほぞ、７１  挿入片、７２  断面槽、８１  凸フック、８２  弾力アーム、９１  サポート棒、９２  弾力棒、９３  端角５１１  孔槽、６１１  孔槽、Ａ  外レール、Ａ１  凹口、Ａ２  係合板、Ａ３  係合孔、Ｂ  中レール、Ｃ  内レール、Ｃ１  開孔、Ｃ２  凸面、
【図１】
0003121054.tif 000003
【図２】
0003121054.tif 000004
【図３】
0003121054.tif 000005
【図４】
0003121054.tif 000006
【図５】
0003121054.tif 000007
【図６】
0003121054.tif 000008
【図７】
0003121054.tif 000009
【図８】
0003121054.tif 000010
【図９】
0003121054.tif 000011
【図１０】
0003121054.tif 000012
【図１１】
0003121054.tif 000013
【図１２】
0003121054.tif 000014
【図１３】
0003121054.tif 000015
【図１４】
0003121054.tif 000016
【図１５】
0003121054.tif 000017